(57)【特許請求の範囲】
【請求項１】
硬貨の真偽を判別する硬貨選別部と、前記硬貨選別部で選別された正貨を受入通路に、偽貨を返却通路にそれぞれ振り分ける正貨振分部と、硬貨を金種別に収納する複数の釣銭収納筒と、硬貨を直径方向に縦に一列状態で直に積み上げて収納する保留部と、前記保留部に収納された硬貨を上下方向に搬送する搬送部と、前記受入通路に振り分けられた硬貨の内、特定金種の硬貨を前記保留部に、前記特定金種以外の硬貨を釣銭収納筒に振り分ける特定金種振分部とを備えた硬貨処理装置であって、前記保留部に収納された硬貨は、下方に払出されて返却されるとともに、上方に搬送されて前記特定金種の硬貨を収納する釣銭収納筒に送出されるようにしたことを特徴とする硬貨処理装置。
【請求項２】
前記搬送部は、前記保留部の最下位置に収納される硬貨を係止する突起部を有して前記硬貨の収納方向に延在する搬送ベルトと、前記搬送ベルトを駆動する駆動手段とからなることを特徴とする請求項１記載の硬貨処理装置。
【発明の詳細な説明】
【０００１】
【発明の属する技術分野】
本発明は、投入された硬貨の真偽判別、正貨の収納、釣銭の払出などを行う硬貨処理装置に関するものであり、詳しくは、自動販売機等に搭載される硬貨処理装置に関するものである。
【０００２】
【従来の技術】
従来の硬貨処理装置を自動販売機に搭載された場合について説明する。
【０００３】
図６、図７は、従来の硬貨処理装置を示す図である。
【０００４】
図６において、硬貨処理装置４１は、硬貨を受け入れる受入口４２と、硬貨の真偽及び金種を識別する硬貨選別部４３と、硬貨を正貨と偽貨とに振り分ける振分部４４と、硬貨を金種別に振り分ける金種振分部４５〜４７と、硬貨を金種別に収納する釣銭収納筒４８〜５１と、釣銭収納筒４８〜５１に収納されている硬貨を釣銭として払い出す払出装置５２とで構成されている。
【０００５】
上記構成の硬貨処理装置４１は、投入された硬貨が硬貨選別部４３で正貨と識別されたときは、振分部４４を駆動して当該硬貨を受け入れ、金種振分部４５〜４７にて振り分けられ、所望の釣銭収納筒４８〜５１に収納される。例えば、５００円玉を投入した場合には、金種振分部４５、４６にて振り分けられ、釣銭収納筒４８に収納される。この状態で、自動販売機の商品選択ボタン（図示せず）が押されると、商品の搬出を行うとともに、払出装置５２により、釣銭収納筒４８〜５１に収納されている硬貨を下側から払い出す。一方、硬貨投入後、商品の購入を思い止まり、返却レバー（図示せず）が操作されると、払出装置５２により、釣銭収納筒４８〜５１に収納された硬貨を下側から払い出す。
【０００６】
このように従来の硬貨処理装置４１では、硬貨選別部４３にて偽貨を誤って正貨と判断した場合、投入された偽貨は、釣銭収納筒４８〜５１の上方から収納されるので、偽貨投入後、返却レバーが操作されると、釣銭収納筒４８〜５１の最下部に収納された正貨から払出してしまうことになる。すなわち、偽貨と正貨とを交換してしまうことになっていた。また近年、外国の硬貨を加工して、日本の硬貨と形状等を同一にしたもの（偽貨）を投入し、返却レバーを操作して釣銭（正貨）を窃取するという悪戯が発生している。
【０００７】
そこで、図７に示すように、硬貨選別部６２で選別され、振分部６３にて受入通路６４に振り分けられた全ての硬貨を一時保留する保留筒６５を受入通路と釣銭収納筒７１〜７４の間に設け、硬貨投入後、商品選択ボタンが押されることなく返却レバーが操作されたとき、この保留筒６５内に保留されている硬貨を払い出す硬貨処理装置６１が提案されている。
【０００８】
この硬貨処理装置６１では、硬貨投入後、商品選択ボタンが押されると、保留筒６５内に保留された硬貨は、リフトアップ機構６６により上昇させて、払出ワイパー（図示せず）にて１枚ずつ釣銭収納筒７１〜７４の方に払出される。そして、振分部６７〜７０にて、所望の釣銭収納筒７１〜７４内に収納されるようになっており、釣銭を払出すときは、釣銭収納筒７１〜７４の下方に設けられた払出装置（図示せず）にて、釣銭収納筒７１〜７４に収納された硬貨を払出すようになっている。すなわち、保留筒６５内に収納された硬貨は、１枚ずつ払出すようになっているため、硬貨の払出及び収納動作に時間がかかるという問題があった。
【０００９】
【発明が解決しようとする課題】
本発明は、従来の硬貨処理装置が有する問題点を解決するためになされたのであって、偽貨投入後、返却レバーが操作された場合に偽貨と正貨とを交換することなく、しかも硬貨の払出及び収納動作を迅速に行える硬貨処理装置を提供するものである。
【００１０】
【課題を解決するための手段】
請求項１に記載された本発明は、硬貨の真偽を判別する硬貨選別部と、前記硬貨選別部で選別された正貨を受入通路に、偽貨を返却通路にそれぞれ振り分ける正貨振分部と、硬貨を金種別に収納する複数の釣銭収納筒と、硬貨を直径方向に縦に一列状態で直に積み上げて収納する保留部と、前記保留部に収納された硬貨を上下方向に搬送する搬送部と、前記受入通路に振り分けられた硬貨の内、特定金種の硬貨を前記保留部に、前記特定金種以外の硬貨を釣銭収納筒に振り分ける特定金種振分部とを備えた硬貨処理装置であって、前記保留部に収納された硬貨は、下方に払出されて返却されるとともに、上方に搬送されて前記特定金種の硬貨を収納する釣銭収納筒に送出されるようにしたことを特徴とする。
【００１１】
また、請求項２に記載された本発明は、請求項１記載の硬貨処理装置において、前記搬送部は、前記保留部の最下位置に収納される硬貨を係止する突起部を有して前記硬貨の収納方向に延在する搬送ベルトと、前記搬送ベルトを駆動する駆動手段とからなることを特徴とする。
【００１４】
【発明の実施の形態】
本発明に係る一実施の形態を図面に基づいて詳細に説明する。本実施の形態において、硬貨処理装置は、自動販売機の搭載されたものである。
【００１５】
図１は、硬貨処理装置の正面図、図２は、硬貨処理装置の側面図、図３は、特定金種振分部近傍の詳細図、図４は、一時保留シュートの側面図、図５は、一時保留シュートの断面図である。
【００１６】
図１に示すように、硬貨処理装置１には、上部に形成され、硬貨を受け入れる受入口４と、受け口４に投入された硬貨の真偽を判別する硬貨識別部５と、この硬貨識別部５で選別された硬貨を正貨と偽貨とに振り分ける正貨振分部８とからなる硬貨選別機３が、本体２の上部前面に着脱自在に設けられている。また、硬貨選別機３の下部には、硬貨を釣銭用の硬貨として金種別に収納する複数の釣銭収納筒１５〜１８が設けられており、各釣銭収納筒１５〜１８の下部には、図示しない制御装置から出力される釣銭払出信号に基づいて各釣銭収納筒１５〜１８内の硬貨を払出す釣銭払出装置２０が設けられている。さらに、釣銭収納筒１５〜１８の向かって右側には、特定硬貨を収納する保留部３２と、保留部３２に収納された特定硬貨を払い出す硬貨搬送部２２とからなる一時保留ユニット２１が備えられている。なお、釣銭収納筒１５〜１８は、それぞれ５０円玉、１００円玉、１０円玉、５００円玉を釣銭として収納するようになっている。
【００１７】
硬貨識別部５は、受入口４から投入された硬貨を硬貨通路６上に転動させ、この転動中に電子検銭装置７によって真偽判別及び金種判別を行うとともに、当該電子検銭装置７の判別結果に基づいて正貨振分部８を駆動することにより、正貨と偽貨に振り分けられるようになっている。そして、正貨は後側の第１、第２の受入通路９、１０側に送出され、また偽貨は前面側の返却通路（図示せず）に送出され、自動販売機の前面に設けられた返却口（図示せず）に返却される。
【００１８】
正貨振分部８の直下には、５００円玉及び１０円玉を第１の受入通路９に、１００玉及び５０円玉を第２の受入通路１０に、それぞれ振り分ける第１の金種振分部１１が設けられている。また、第１の金種振分部１１にて第１の受入通路９に振り分けられた硬貨の内、５００円玉（特定硬貨）を一時保留ユニット２１に、１０円玉を釣銭収納筒１６にそれぞれ振り分ける特定金種振分部１２が設けられている。一方、第２の受入通路１０の途中には、転動してきた硬貨（５０円玉または１００円玉）を振り分ける第２の金種振分部１３が設けられており、５０円玉を第２の受入通路１０の下流側に、１００円玉を釣銭収納筒１７に送出するようになっている。また、第２の受入通路１０の下流端には、５０円玉を釣銭収納筒１８に送出するとともに、釣銭収納筒１５〜１８のうちのいずれかが満杯のときに、当該釣銭収納筒１５〜１８に収納すべき硬貨が投入された場合、当該硬貨を一括して収納する硬貨金庫（図示せず）側に送出する金庫振分部１４が設けられている。したがって、正貨振分部８にて正貨と判別されると、５００円玉、１０円玉、１００円玉、５０円玉は、それぞれ矢印Ａ，Ｃ，Ｄ，Ｅに示す経路で送出されて、一時保留ユニット２１、釣銭収納筒１６、１７、１８に収納される。
【００１９】
一時保留ユニット２１は、図４に示すように、保留部３２と、硬貨搬送部２２とから構成されている。ここで、保留部３２は、シュート３３とカバー３４を備えており（図５参照）、硬貨搬送部２２は、モータ２３と、ギア２４と、搬送ベルト２５と、搬送ベルト２５上に形成された突起部２６と、プーリ２７、２８と、ソレノイド２９と、払出ワイパー３０とを備えている。
【００２０】
また、図１、図２に示すように、一時保留ユニット２１の下方には、返却通路１９が、釣銭収納筒１５〜１８の前面に下り傾斜状に形成されており、保留部３２に収納された硬貨は返却通路１９を通って自動販売機の返却口に返却されるようになっている。
【００２１】
以上のように構成された硬貨処理装置１について、その動作を説明する。
【００２２】
自動販売機の硬貨投入口（図示せず）に投入された硬貨は、受入口４から硬貨識別部５内に入り、硬貨通路６上を転動する間に電子検銭装置７内を通過する。この時、制御装置は、電子検銭装置７の出力に基づいて真偽判別及び金種判別を行い、偽貨と判断された場合には、正貨振分部８により、当該硬貨（偽貨）を返却通路の方に振り分け、返却口に返却する。
【００２３】
一方、制御装置にて正貨と判断した場合には、正貨振分部８により硬貨（正貨）を第１、第２の受入通路９、１０の方に振り分ける。硬貨が５００円玉のときは、第１の金種振分部１１、特定硬貨振分部１２を介して、矢印Ａに示す経路で一時保留ユニット２１内に送出される。この５００円玉は、一時保留ユニット２１内に設けられた保留部３２に収納され、搬送ベルト２５に形成された係止部２６と当接し、その位置で保持される。
【００２４】
この状態で、商品選択ボタンが押されると、商品の払出が行われるとともに、釣銭が払出される。例えば、購入する商品の価格が１２０円の場合は、釣銭収納筒１７に収納された１００円玉３個と、釣銭収納筒１８に収納された５０円玉１個と、釣銭収納筒１６に収納された１０円玉３個の合計３８０円が、制御装置から出力される払出指令に基づき、払出装置２０を駆動して返却口に返却される。一方、制御装置から出力される収納指令に基づいて、モータ２３を駆動し、ギア２４にて回転速度を減速して、プーリ２７を回転させることによって、搬送ベルト２５を矢印Ｆの方向に走行させ、保留部３２に収納された５００円玉Ｍは上方に搬送される（図４参照）。保留部３２の最上部に搬送された５００円玉Ｍは、矢印Ｂの経路を通って（図３参照）、釣銭収納筒１５内に収納される。
【００２５】
また、保留部３２に５００円玉Ｍが収納された状態で、返却レバーが操作されると、制御装置から出力される払戻指令に基づき、ソレノイド２９を駆動し、払出ワイパー３０にて５００円玉Ｍを払出、払出し通路１９を介して、返却口に払い戻される。
【００２６】
このように、硬貨識別部５で選別され、受け入れられた硬貨を一時保留する一時保留ユニット２１を設け、返却時には、この一時保留ユニット２１内の硬貨を返却通路１９に払出すようにしたので、硬貨識別部５で偽貨を受け入れてしまい、そのまま返却操作が行われた場合にも、当該投入された硬貨（偽貨）を返却することができ、正貨に近似した偽貨を投入し、そのまま返却することにより、硬貨処理装置１がもともと釣銭収納筒１５〜１８内に保持していた硬貨を払出されるという悪戯を未然に回避することが可能となる。
【００２７】
本実施の形態では、５００円玉（特定金種の硬貨）を収納する釣銭収納筒１５を一時保留ユニット２１の側方に設けるとともに、５００円玉を一時保留ユニット２１に一時保留する構成とするものであるが、本発明はこのような形態に限定されるものではない。すなわち、一時保留ユニット２１内に収納する硬貨は、その金種を任意に設定することができる。
【００２８】
【発明の効果】
本発明によれば、硬貨の真偽を判別する硬貨選別部と、前記硬貨選別部で選別された正貨を受入通路に、偽貨を返却通路にそれぞれ振り分ける正貨振分部と、硬貨を金種別に収納する複数の釣銭収納筒と、硬貨を直径方向に縦方向に積み上げて収納する保留部と、前記保留部に収納された硬貨を上下方向に搬送する搬送部と、前記受入通路に振り分けられた硬貨の内、特定金種の硬貨を前記保留部に、前記特定金種以外の硬貨を釣銭収納筒に振り分ける特定金種振分部とを備えた硬貨処理装置において、前記保留部に収納された硬貨は、下方に搬送されて返却されるとともに、上方に搬送されて前記特定金種の硬貨を収納する釣銭収納筒に送出されるようにしたので、硬貨処理装置に投入された特定硬貨は一時保留され、返却する場合は、投入された硬貨（保留された硬貨）自身を返却されるため、偽貨から正貨への換金を阻止することができる。また、硬貨の収納、返却を迅速に行うことができる。
【図面の簡単な説明】
【図１】硬貨処理装置の正面図である。
【図２】硬貨処理装置の側面図である。
【図３】特定硬貨振分部近傍の詳細図である。
【図４】一時保留ユニットの側面図である。
【図５】一時保留ユニットの断面図である。
【図６】従来の硬貨処理装置の正面図である。
【図７】従来の硬貨処理装置の正面図である。
【符号の説明】
１  硬貨処理装置
２  本体
３  硬貨選別機
４  受入口
５  硬貨識別部
６  硬貨通路
７  電子検銭装置
８  正貨振分部
９  第１の受入通路
１０  第２の受入通路
１１  第１の金種振分部
１２  特定硬貨振分部
１３  第２の金種振分部
１４  金庫振分部
１５  釣銭収納筒
１６  釣銭収納筒
１７  釣銭収納筒
１８  釣銭収納筒
１９  返却通路
２０  釣銭払出装置
２１  一時保留ユニット
２２  硬貨搬送部
２３  モータ
２４  ギア
２５  搬送ベルト
２６  突起部
２７  プーリ
２８  プーリ
２９  ソレノイド
３０  払出ワイパー
３１  取込ゲート
３２  保留部
３３  シュート
３４  カバー
【図１】
0004244505.tif 000002
【図２】
0004244505.tif 000003
【図３】
0004244505.tif 000004
【図４】
0004244505.tif 000005
【図５】
0004244505.tif 000006
【図６】
0004244505.tif 000007
【図７】
0004244505.tif 000008